(57)【要約】【課題】平行な２本の物干し竿にまたがって取り付けられ、ハンガーを掛けることができるハンガー掛けにおいて、物干し竿の間隔が異なっても十分に程度対応でき、２本の物干し竿の外に飛び出してしまうことがないようにする。【解決手段】筒状本体７の内部に同軸に出没本体９を配置し、筒状本体７の先端から出没自在にする。筒状本体７の後端及び出没本体９の先端には、係止部１１が設けられて、物干し竿３に上方から係止する。また、筒状本体７と出没本体９の長手方向に沿って上部に凹凸部１３が形成されハンガー５を掛ける。二つの係止部１１のいずれか一方の係止部１１にはロック機構１７を設け、係止が外れないようにする。【選択図】図1
2006296997.tif 000002
【特許請求の範囲】
【請求項１】
平行に配置された２本の物干し竿にまたがって取り付けられ、ハンガーを掛けることができるハンガー掛けにおいて、
筒状本体と、この筒状本体の内部に同軸に配置され前記筒状本体の先端から出没自在に設けられる出没本体と、前記筒状本体の後端及び前記出没本体の先端に設けられて前記物干し竿に上方から係止する係止部と、前記筒状本体と前記出没本体の長手方向に沿って上部に形成され前記ハンガーを掛けるための凹凸部と、を有することを特徴とする伸縮自在なハンガー掛け。
【請求項２】
前記二つの係止部のいずれか一方の係止部に設けられて係止が外れないようにするロック機構を有することを特徴とする請求項１に記載の伸縮自在なハンガー掛け。
【発明の詳細な説明】
【技術分野】
【０００１】
この発明は、平行に配置された２本の物干し竿にまたがって取り付けられ、ハンガーを掛けることができるハンガー掛けの構造に関する。
【背景技術】
【０００２】
洗濯物を干すための物干し竿は、通常は平行に配置される。そして、洗濯物を干した物干し竿の間には、洗濯物が存在しないスペースができることが多い。このスペースを有効利用して洗濯物を干すために、特許文献１，２に示すように、平行な２本の物干し竿にまたがって取り付けられ、ハンガーを掛けることができるハンガー掛けが提案されている。      
【特許文献１】特開２００４−２６７４５９
【特許文献２】特開２００２−３０６８９４  また、特許文献３，４に示すように、ハンガー掛けの本体に対し、物干し竿に係止する係止部が移動や回転を行える構造のハンガー掛けも提案されている。
【特許文献３】特開２００２−１７７６９２
【特許文献４】特開２００２−１４３６００
【発明の開示】
【発明が解決しようとする課題】
【０００３】
しかしながら、平行に配置された２本の物干し竿の間の間隔は、物干し竿を支える物干し台の種類により異なる。また、３本以上配置できる物干し台において、１本を配置せずに空けた状態で他の２本を配置する場合には、物干し竿の間の間隔は大きく異なる。
特許文献３，４のハンガー掛けは、物干し竿の間の間隔が異なっても、係止部を移動させることで、ある程度対応できるものの、この間隔が狭いときには、本体の余った部分が２本の物干し竿の外に飛び出してしまう。このため、物干し竿に干されている洗濯物の邪魔になったり、２本の物干し竿の外で、洗濯物干し作業を行う作業者の邪魔になったりする。
【０００４】
この発明は、以上の問題点を解決するために、物干し竿の間の間隔が異なっても十分に程度対応でき、２本の物干し竿の外に飛び出してしまうことがないハンガー掛けを提供することを目的とする。
【課題を解決するための手段】
【０００５】
以上の課題を解決するために、第一発明は、平行に配置された２本の物干し竿にまたがって取り付けられ、ハンガーを掛けることができるハンガー掛けにおいて、筒状本体と、この筒状本体の内部に同軸に配置され前記筒状本体の先端から出没自在に設けられる出没本体と、前記筒状本体の後端及び前記出没本体の先端に設けられて前記物干し竿に上方から係止する係止部と、前記筒状本体と前記出没本体の長手方向に沿って上部に形成され前記ハンガーを掛けるための凹凸部と、を有することを特徴とする伸縮自在なハンガー掛けである。
【０００６】
第二発明は、更に、前記二つの係止部のいずれか一方の係止部に設けられて係止が外れないようにするロック機構を有することを特徴とする伸縮自在なハンガー掛けである。
【発明の効果】
【０００７】
第一、又は第二発明によれば、筒状本体の先端から出没本体を出没させることで、本体を伸縮自在にでき、物干し竿の間の間隔が異なっても十分に程度対応できる。また、筒状本体の後端及び出没本体の先端に係止部を設け物干し竿に係止するので、２本の物干し竿の外に飛び出してしまうことがない。
【０００８】
第二発明によれば、さらに、係止部にロック機構を設けるので、物干し竿への係止が外れない。よって、掛けられたハンガーの洗濯物が風を受けて係止がはずれ洗濯物が落ちてしまう恐れなどがない。
【発明を実施するための最良の形態】
【０００９】
この発明の実施形態を、図１及び図２に示す。
図1に示すように、この実施形態の伸縮自在なハンガー掛け１は、平行に配置された２本の物干し竿３にまたがって係止されて取り付けられ、ハンガー５を掛けることができる。
ハンガー掛け１の筒状本体７は楕円断面の筒状をなし、内部には、この筒状本体７と同軸に、楕円断面の柱状の出没本体９が配置され、筒状本体７の先端から出没本体９が出没自在に設けられる。出没本体９の図示しない後端には、ストッパーが設けられ、最大長さが引き出したときに筒状本体７の内側に引っかかり、抜け落ちないようになっている。
【００１０】
筒状本体７の後端及び出没本体９の先端には、下向きの略Ｕ字状の係止部１１Ａ、１１Ｂが設けられて、物干し竿３に上方から係止する。
筒状本体７と出没本体９の長手方向に沿って上部に凹凸部１３Ａ、１３Ｂが形成され、掛けたハンガー５が本体に沿って移動してしまわないようになっている。出没本体９の凹凸部１３Ｂは、出没動作の邪魔にならないように、出没本体９の通常の表面に溝１５が形成されて、作られている。
【００１１】
図１及び図２に示すように、二つの係止部１１のうち筒状本体７の係止部１１Ａには、ロック機構１７が設けられて係止が外れないようにする。
すなわち、この係止部１１の下向きの略Ｕ字状は、実際には真円の一部を形成し、Ｃ字状となっている。このＣ字状の内部は空洞１９を形成し、Ｃ字の一方の先端口２１が開放されている。この空洞１９内には、Ｃ字状の爪２３が収納され、爪２３の先端は、先端口２１から突出し、空洞１９内部のバネ２５により、突出方向へ付勢される。Ｃ字状の爪２３の背側には、レバー２７が突設され、空洞１９の外部へ、長窓２９を介して外部に突出する。
【００１２】
「実施形態の作用・効果」
この実施形態によれば、筒状本体７に対し出没本体９を引き出したり戻したりして出没させ、本体７、９の全長を伸縮させ、物干し竿３の間の間隔に対応させる。対応させた状態で、両端の係止部１１を物干し竿３に係止させる。よって、特許文献３，４に示すように本体が、２本の物干し竿３の外に飛び出してしまうなどということがない。
【００１３】
係止の際には、係止部１１Ａのロック機構１７を働かせる。すなわち、バネ２５に抗してレバー２７を長窓２９に沿って引っ張れば、Ｃ字状の爪２３は収納され、Ｃ字状の係止部１１Ａは大きく開口し、物干し竿３に係止できる。レバー２７を引くのをやめれば、爪２３は突出し、係止がロックされる。掛けられたハンガー５の洗濯物が風を受けて動き、このため係止部１１の係止がはずれ洗濯物が落ちてしまうなどという恐れなどがない。  
「他の実施形態」
以上の実施形態では、ロック機構１７は筒状本体７の側の係止部１１に設けられるものであったが、他の実施形態では、出没本体９の側に設けられてもよい。また、両方の側に設けられてもよい。
【００１４】
また、以上の実施形態では、ロック機構１７はＣ字状の爪２３がバネ２５により突出するものであったが、他の実施形態では、種々の構造の機構が採用できる。例えば、係止部１１の略Ｕ字状の開放部分を閉じる手動レバーが回動可能に設けられ、バネ２５により閉じ方向へ付勢されるものとしてもよい。
【００１５】
また、以上の実施形態では、筒状本体７と出没本体９はともに楕円断面を有し回転を防止するものであったが、他の実施形態では、四角形断面や回転防止の溝１５を有する円形などでもよい。
【図面の簡単な説明】
【００１６】
【図１】この発明の一実施形態を示す斜視図である。
【図２】図1の要部を示す断面図である。
【符号の説明】
【００１７】
１…ハンガー掛け、３…竿、５…ハンガー、７…筒状本体、９…出没本体、１１…係止部、１３…凹凸部、１５…溝、１７…ロック機構、１９…空洞、２１…先端口、２３…爪、２５…バネ、２７…レバー、２９…長窓。
【図１】
2006296997.tif 000003
【図２】
2006296997.tif 000004